(57)【要約】      （修正有）【課題】衣類の側方の仕上げの向上が図れると共に、装置の低廉化が図れる衣類用プレス機の胴膨張機構を提供する。【解決手段】人体型に取付けられたスポンジに被せるカバーと、人体型の左右に設けられた腕シリンダー５とを備え、カバーは、スポンジに被せる人体型カバー部４ａと、この人体型カバー部４ａの両側に設けられ、衣類Ｅの胴部を膨張させる胴部空気袋４ｂとからなり、カバーに衣類Ｅを被せ、胴部空気袋４ｂを膨張させた状態で人体型の前後に互いに対向して設けられた一対の熱板でプレスする。カバーの両側の胴部空気袋４ｂの外側には、夫々可撓性の緊張バネ棒１３を挿入するバネ棒挿入穴１３ａを設け、緊張バネ棒１３の上端部を腕シリンダー５で駆動する。【選択図】図２
0003181225.tif 000002
【実用新案登録請求の範囲】
【請求項１】
人体型に取付けられたスポンジに被せるカバーと、人体型の左右に設けられた腕シリンダーとを備え、前記カバーは、前記スポンジに被せる人体型カバー部と、この人体型カバー部の両側に設けられ、衣類の胴部を膨張させる胴部空気袋とからなり、前記カバーに衣類を被せ、前記胴部空気袋を膨張させた状態で前記人体型の前後に互いに対向して設けられた一対の熱板でプレスする衣類プレス機の胴膨張機構において、前記カバーの前記両側の胴部空気袋の外側には、夫々可撓性の緊張バネ棒を挿入するバネ棒挿入穴を設け、前記緊張バネ棒の上端部は前記腕シリンダーで駆動されることを特徴とする衣類プレス機の胴膨張機構。
【請求項２】
前記緊張バネ棒は、前記腕シリンダーに取付けられたゴム紐を介して駆動されることを特徴とする請求項１記載の衣類プレス機の胴膨張機構。
【請求項３】
前記緊張バネ棒の上方部は、バネ棒固定レバーに固定され、前記腕シリンダーの下方の人体型の部分には固定レバーが固定され、この固定レバーには可動連結レバーの一端が回転自在に支承され、この可動連結レバーの他端が前記バネ棒固定レバーに回転自在に支承されていることを特徴とする請求項１記載の衣類プレス機の胴膨張機構。
【請求項４】
前記胴部空気袋の上端のほぼ中央部には、前記可動連結レバーに固定される上胴部空気袋制御紐が設けられていることを特徴とする請求項３記載の衣類プレス機の胴膨張機構。
【請求項５】
前記胴部空気袋の下端外側部には、該胴部空気袋を外側に引っ張るゴム紐が取付けられていることを特徴とする請求項１又は４記載の衣類プレス機の胴膨張機構。
【考案の詳細な説明】
【技術分野】
【０００１】
本考案は、人体型にシャツ等の衣類を被せた時に、衣類の胴部を膨張させてプレス仕上げする衣類プレス機の胴膨張機構に関する。
【背景技術】
【０００２】
衣類プレス機の胴膨張機構として、例えば特許文献１及び２が挙げられる。
【０００３】
特許文献１は、次のような構成となっている。前後一対の板材で構成された人胴型（人体型）の表面には、 フエルト等からなるパッドが夫々取付けられており、パッド上には布製のカバーが被せられている。カバーは、人胴型のパッドに被せる人胴部 (人体部) カバー部と、この人胴部カバー部の両側に設けられシャツ類の胴部を膨張させる胴部空気袋と、シャツ類の肩部を膨張させる肩部空気袋とからなっている。前記カバーの胴部空気袋と肩部空気袋に熱風が導入されると膨らむ。またシャツ類の袖を支持するために人胴型の左右には腕シリンダーが設けられている。なお、特許文献１には図示されていないが、 人胴型の前後には、
互いに対向して一対の熱板が設けられている。
【０００４】
そこで、人胴型のカバー上に衣類を被せ、胴部空気袋及び肩部空気袋に熱風を導入する。これにより、胴部空気袋及び肩部空気袋が膨張し、衣類の皺が伸ばされて除去された後、熱板でプレスする。
【０００５】
特許文献２は、次のような構成となっている。人体型の側方に凹み面を設けた弓形部材が人体型の側方に張出し自在に設けられ、この弓形部材の上下端に、シャツの側部内面にあてがわれる可撓性の線条部材が弦状に張架される。線条部材は、下方に設けた駆動装置で駆動される。なお、特許文献２には図示されていないが、特許文献１に示す人胴型の左右に設けられた腕シリンダーが一般的に設けられている。
【０００６】
そこで、シャツが人体型に装着されている状態で、駆動装置が駆動して弓形部材が人体型の側方に張出される。すると、弓形部材の線条部材がシャツの側部内面に押し当てられ、線条部材が内面の湾曲ラインに沿って撓みながら、シャツの側部を人体型の側方に伸張させる。これにより、シャツは胴部が緊張され、この状態で前後一対のプレス鏝（熱板）がシャツの胴部をプレス仕上げする。
【先行技術文献】
【特許文献】
【０００７】
【特許文献１】特許第４１８０２５２号（特開２００２−３３６６００号）公報
【特許文献２】特許第４２２７８２７号（特開２００４−３０５３１１号）公報
【考案の概要】
【考案が解決しようとする課題】
【０００８】
特許文献１は、胴部空気袋でシャツ類を拡張するだけであるので、シャツ類の側部に皺が入ったり、人体型の側部の前後に余った生地が飛び出し、シャツ類をプレスした際に余った生地ごとプレスされて皺が入るという問題がある。特許文献２は、弓形部材を駆動するための駆動装置を別に設けるので、装置が沿い高価となる。また弓形部材の線条部材のみでシャツ類の胴部を緊張させるので、胴部が十分に緊張されなく側方の良好な仕上げが得られなかった。
【０００９】
本考案の課題は、衣類の側方の仕上げの向上が図れると共に、装置の低廉化が図れる衣類プレス機の胴膨張機構を提供することにある。
【課題を解決するための手段】
【００１０】
上記課題を解決するための本考案の請求項１は、人体型に取付けられたスポンジに被せるカバーと、人体型の左右に設けられた腕シリンダーとを備え、前記カバーは、前記スポンジに被せる人体型カバー部と、この人体型カバー部の両側に設けられ、衣類の胴部を膨張させる胴部空気袋とからなり、前記カバーに衣類を被せ、前記胴部空気袋を膨張させた状態で前記人体型の前後に互いに対向して設けられた一対の熱板でプレスする衣類プレス機の胴膨張機構において、前記カバーの前記両側の胴部空気袋の外側には、夫々可撓性の緊張バネ棒を挿入するバネ棒挿入穴を設け、前記緊張バネ棒の上端部は前記腕シリンダーで駆動されることを特徴とする。
【００１１】
上記課題を解決するための本考案の請求項２は、請求項１において前記緊張バネ棒は、前記腕シリンダーに取付けられたゴム紐を介して駆動されることを特徴とする。
【００１２】
上記課題を解決するための本考案の請求項３は、請求項１において前記緊張バネ棒の上方部は、バネ棒固定レバーに固定され、前記腕シリンダーの下方の人体型の部分には固定レバーが固定され、この固定レバーには可動連結レバーの一端が回転自在に支承され、この可動連結レバーの他端が前記バネ棒固定レバーに回転自在に支承されていることを特徴とする。
【００１３】
上記課題を解決するための本考案の請求項４は、請求項３において前記胴部空気袋の上端のほぼ中央部には、前記可動連結レバーに固定される上胴部空気袋制御紐が設けられていることを特徴とする。
【００１４】
上記課題を解決するための本考案の請求項５は、請求項１又は４において、前記胴部空気袋の下端外側部には、該胴部空気袋を外側に引っ張るゴム紐が取付けられていることを特徴とする。
【考案の効果】
【００１５】
請求項１は、カバーの両側の胴部空気袋の外側には、夫々可撓性の緊張バネ棒を挿入するバネ棒挿入穴を設け、緊張バネ棒の上端部を腕シリンダーで駆動するので、胴部空気袋の膨張と緊張バネ棒の作用による相乗効果により、側方の生地を伸ばしプレス前の皺が効果的に除去され、仕上げが向上する。また衣類プレス機に設けられている腕シリンダーによって緊張バネ棒を駆動し、別個に緊張バネ棒を駆動する駆動装置を必要としないので、装置の低廉化が図れる。
【００１６】
請求項２は、緊張バネ棒を腕シリンダーでゴム紐を介して作動させるので、衣類のサイズが小さい場合、緊張バネ棒の横方向への動きは小さい。しかし、腕シリンダーのストロークは一定であるので、普通の紐であると切れたり部品を壊したり、また衣類をセットした後にセットした形が崩れる恐れがある。ゴム紐であると、衣類のサイズに合せて適度な緊張を与えるので、前記した問題点は解消される。
【００１７】
請求項４は、胴部空気袋のほぼ中央部に胴部空気袋制御紐を設けるので、胴部空気袋上部の中央辺りから側部までの衣類（生地）の弛みが無くなる。この生地の弛みが無くなると、緊張バネ棒より胴部空気袋内の生地部分が側方へ飛び出すのが防止される。
【００１８】
請求項４は、胴部空気袋の下方を外側に引っ張るゴム紐を設けるのと、衣類をセットする際に衣類の皺を伸ばす働きがある。
【図面の簡単な説明】
【００１９】
【図１】本考案の衣類プレス機の胴膨張機構の一実施の形態を示し、衣類の装着時の正面である。
【図２】プレス仕上げ時の正面図である。
【図３】（ａ）は図２のＡ−Ａ線拡大断面図、（ｂ）は（ａ）のＢ部の拡大図、（ｃ）は（ａ）のＣ部の拡大図である。
【図４】カバーの拡大斜視図である。
【考案を実施するための形態】
【００２０】
本考案の衣類プレス機の胴膨張機構の一実施の形態を図１〜図４により説明する。図３に示すように、前後一対の板材で四角形状に形成された人体型１の表面には、 スプリングパッド２を介してシリコンよりなるスポンジ３が夫々取付けられており、スポンジ３上には布製のカバー４が被せられている。カバー４は、図４に示すように、人体型のスポンジ３に被せる人体型カバー部４ａと、この人体型カバー部４ａの両側に設けられ衣類Ｅ（図１、図２参照）の胴部を膨張させる胴部空気袋４ｂとからなっている。カバー４の胴部空気袋４ｂの下方には熱風が供給される熱風供給部４ｃが設けられている。また衣類Ｅの袖を支持するために、図２に示すように、人体型１の左右には腕シリンダー５が設けられている。上記構成は従来技術とほぼ同じ構成となっている。
【００２１】
本実施の形態のカバー４は、胴部空気袋４ｂの外側部に後記する緊張バネ棒１３が挿入されるバネ棒挿入穴４ｄが形成されている。このバネ棒挿入穴４ｄは、胴部空気袋４ｂの外周に緊張バネ棒保持カバー６（図３（ｂ）参照）が固定されて形成されている。胴部空気袋４ｂの上端のほぼ中央部には、胴部空気袋４ｂの上部を制御する胴部空気袋制御紐７が固定されており、胴部空気袋制御紐７の他端は可動連結レバー１１に固定される。また胴部空気袋４ｂの下端外側部にはゴム紐８が固定されている。
【００２２】
前記腕シリンダー５の下方で人体型１の外側部分には、外側に伸びた固定レバー１０が固定されている。固定レバー１０には可動連結レバー１１の一端が回転自在に支承されており、可動連結レバー１１の他端には、ほぼ垂直なバネ棒固定部１２ａを有するバネ棒固定レバー１２が回転自在に支承されている。バネ棒固定レバー１２のバネ棒固定部１２ａには、前記カバー４のバネ棒挿入穴４ｄに挿入される可撓性の緊張バネ棒１３が固定されている。緊張バネ棒１３の上方部はバネ棒固定レバー１２より内側及び水平に伸びた衣類引っ掛け防止部１３ａが形成されている。腕シリンダー５の作動ロッドには、ゴム紐１４の一端が固定され、ゴム紐１４の他端は緊張バネ棒１３のバネ棒固定レバー１２とバネ棒挿入穴４ｄ間の部分に固定されている。
【００２３】
次に作用について説明する。スポンジ３に予めカバー４を被せ、またバネ棒挿入穴４ｄに緊張バネ棒１３を挿入する。また胴部空気袋制御紐７を可動連結レバー１１に取付ける。更に熱風供給部４ｃに熱風を供給する図示しない板金の筒部に熱風供給部４ｃを被せる。そして、筒部と熱風供給部４ｃ間から熱風邪が漏れないように熱風供給部４ｃの外周を枠体１５で固定する。この枠体１５にはテンションプレート部１５ａが胴部空気袋４ｂより外側に伸びて設けられている。この状態 (図１の状態) で使用する。図１に示す状態で、人体型１のカバー４上に衣類Ｅを被せる。そこで、図２に示すように、腕シリンダー５が作動し、ゴム紐１４を介して緊張バネ棒１３が外側に引っ張られ、また可動連結レバー１１及びバネ棒固定レバー１２が外側に移動する。続いて熱風供給部４ｃより胴部空気袋４ｂに熱風が導入されて膨張し、胴部空気袋４ｂの膨張と緊張バネ棒１３によって衣類Ｅの皺が伸ばされて除去された後、熱板でプレスする。この場合、緊張バネ棒１３が衣類Ｅの胴部の形状に沿って湾曲する。
【００２４】
このように、カバー４の両側の胴部空気袋４ｂの外側には、夫々可撓性の緊張バネ棒１３を挿入するバネ棒挿入穴４ｄを設け、緊張バネ棒１３の上端部を腕シリンダー５で駆動するので、胴部空気袋４ｂの膨張と緊張バネ棒１３の作用による相乗効果により、側方の生地を伸ばしプレス前の皺が効果的に除去され、仕上げが向上する。また衣類プレス機に設けられている腕シリンダー５によって緊張バネ棒１３を駆動し、別個に緊張バネ棒１３を駆動する駆動装置を必要としないので、装置の低廉化が図れる。
【００２５】
また本実施の形態においては、緊張バネ棒１３を腕シリンダー５でゴム紐１４を介して作動させたが、ゴム紐１４ではなく一般の紐でも良い。しかし、ゴム紐であると次のような効果が得られる。衣類Ｅのサイズが小さい場合、緊張バネ棒１３の横方向への動きは小さい。しかし、腕シリンダー５のストロークは一定であるので、普通の紐であると切れたり部品を壊したり、また衣類Ｅをセットした後にセットした形が崩れる恐れがある。このため、衣類Ｅのサイズに合せて適度な緊張を与えるためにゴム紐が好ましい。
【００２６】
また胴部空気袋４ｂのほぼ中央部に胴部空気袋制御紐７を設けると、胴部空気袋４ｂ上部の中央辺りから側部までの衣類Ｅ（生地）の弛みが無くなる。この生地の弛みが無くなると、緊張バネ棒１３より胴部空気袋４ｂ内の生地部分が側方へ飛び出すのが防止される。また胴部空気袋４ｂの下方を外側に引っ張るゴム紐８を設けると、衣類Ｅをセットする際に衣類Ｅの皺を伸ばす働きがある。また緊張バネ棒１３の上端しに内側に傾斜した衣類引っ掛け防止部１３ａを設けると、衣類Ｅをカバー４に被せる時に衣類Ｅが緊張バネ棒１３及びバネ棒固定レバー１２等に引っ掛かるのが防止される。
【符号の説明】
【００２７】
Ｅ    衣類
１    人体型
２    スプリングパッド
３    スポンジ
４    カバー
４ａ    人体型カバー部
４ｂ    胴部空気袋
４ｄ    バネ棒挿入穴
５    腕シリンダー
７    胴部空気袋制御紐
８    ゴム紐
１０    固定レバー
１１    可動連結レバー
１２    バネ棒固定レバー
１３    緊張バネ棒
１３ａ    衣類引っ掛け防止部
１４    ゴム紐
【図１】
0003181225.tif 000003
【図２】
0003181225.tif 000004
【図３】
0003181225.tif 000005
【図４】
0003181225.tif 000006